【手続補正書】
【提出日】平成19年11月21日(2007.11.21)
【手続補正１】
【補正対象書類名】特許請求の範囲
【補正対象項目名】全文
【補正方法】変更
【補正の内容】
【特許請求の範囲】
【請求項１】
画像を画素ブロック単位で符号化処理する画像符号化装置において、
画像を入力する入力手段と、
前記入力手段により入力される画像の大きさを判定する画像サイズ判定手段と、
前記画像サイズ判定手段により判定された画像の大きさに応じて、画素ブロックのサイズを決定するブロックサイズ決定手段と、
前記入力手段により入力された画像を前記ブロックサイズ決定手段により決定されたサイズの画素ブロックに分割するブロック構成手段と、
前記ブロック構成手段により構成された画素ブロックを符号化処理するための、複数の画素ブロックサイズに対応する符号化手段とを備えたことを特徴とする画像符号化装置。
【請求項２】
前記ブロックサイズ決定手段は、前記画像サイズ判定手段により判定された画像の大きさが第１のサイズのときは４×４画素のブロックを決定し、前記第１のサイズよりも大きい第２のサイズのときは８×８画素のブロックを決定することを特徴とする請求項１に記載の画像符号化装置。
【請求項３】
前記符号化手段は、前記ブロック構成手段で構成される画素ブロックのサイズに応じた直交変換を行う直交変換手段を有することを特徴とする請求項１または２に記載の画像符号化装置。
【請求項４】
前記直交変換手段は、８×８画素ブロックに対する直交変換と４×４画素ブロックに対する直交変換とを、前記画素ブロックのサイズに応じて切替えて実行することを特徴とする請求項３に記載の画像符号化装置。
【請求項５】
前記符号化手段は、前記ブロック構成手段で構成される画素ブロックのサイズに応じたフィルタ処理を行うフィルタ手段を有することを特徴とする請求項１乃至４のいずれか１項に記載の画像符号化装置。
【請求項６】
前記フィルタ手段は、８×８画素ブロックに対するフィルタ処理と４×４画素ブロックに対するフィルタ処理とを、前記画素ブロックのサイズに応じて適応的に実行することを特徴とする請求項５に記載の画像符号化装置。
【請求項７】
前記フィルタ手段は、予測画像を生成するための画像データにおける前記画素ブロックの境界に対して平滑化の処理を行うデブロッキングフィルタであることを特徴とする請求項５または６に記載の画像符号化装置。
【請求項８】
前記画像サイズ判定手段は、ユーザーが指定した動作モードに応じて、前記入力手段により入力される画像の大きさを判定することを特徴とする請求項１乃至７のいずれか１項に記載の画像符号化装置。
【請求項９】
画像を画素ブロック単位で符号化処理する画像符号化装置において、
画像を入力する入力手段と、
前記入力手段により入力された画像がＨＤ（Ｈｉｇｈ  Ｄｅｆｉｎｉｔｉｏｎ）画像であるかＳＤ（Ｓｔａｎｄａｒｄ  Ｄｅｆｉｎｉｔｉｏｎ）画像であるかを判定する画像サイズ判定手段と、
前記画像サイズ判定手段により判定された結果がＨＤ画像のときは８×８画素のブロックサイズを、ＳＤ画像のときは４×４画素のブロックサイズをそれぞれ決定するブロックサイズ決定手段と、
前記入力手段により入力された画像を前記ブロックサイズ決定手段により決定されたサイズの画素ブロックに分割するブロック構成手段と、
前記ブロック構成手段によって画素ブロックに分割された画像を入力し、当該画像がＨＤ画像のときは８×８画素単位で直交変換を行い、ＳＤ画像のときは４×４画素単位で直交変換を行う直交変換手段と、
前記直交変換手段により直交変換された画像を量子化及びエントロピー符号化する符号化手段とを備えたことを特徴とする画像符号化装置。
【請求項１０】
画像を画素ブロック単位で符号化処理する画像符号化方法において、
画像を入力する入力ステップと、
前記入力ステップで入力される画像の大きさを判定する画像サイズ判定ステップと、
前記画像サイズ判定ステップで判定された画像の大きさに応じて、画素ブロックのサイズを決定するブロックサイズ決定ステップと、
前記入力ステップで入力された画像を前記ブロックサイズ決定ステップで決定されたサイズの画素ブロックに分割するブロック分割ステップと、
前記ブロック分割ステップで分割された画素ブロックを、当該画素ブロックのサイズごとに符号化処理する符号化ステップとを有することを特徴とする画像符号化方法。
【請求項１１】
画像を画素ブロック単位で符号化処理する画像符号化方法において、
画像を入力する入力ステップと、
前記入力ステップで入力された画像がＨＤ（Ｈｉｇｈ  Ｄｅｆｉｎｉｔｉｏｎ）画像であるかＳＤ（Ｓｔａｎｄａｒｄ  Ｄｅｆｉｎｉｔｉｏｎ）画像であるかを判定する画像サイズ判定ステップと、
前記画像サイズ判定ステップで判定された結果がＨＤ画像のときは８×８画素のブロックサイズを、ＳＤ画像のときは４×４画素のブロックサイズをそれぞれ決定するブロックサイズ決定ステップと、
前記入力ステップで入力された画像を前記ブロックサイズ決定ステップで決定されたサイズの画素ブロックに分割するブロック分割ステップと、
前記ブロック構成ステップで画素ブロックに分割された画像を入力し、当該画像がＨＤ画像のときは８×８画素単位で直交変換を行い、ＳＤ画像のときは４×４画素単位で直交変換を行う直交変換ステップと、
前記直交変換ステップで直交変換された画像を量子化及びエントロピー符号化する符号化ステップとを有することを特徴とする画像符号化方法。
【手続補正２】
【補正対象書類名】明細書
【補正対象項目名】００１２
【補正方法】変更
【補正の内容】
【００１２】
上記課題を解決するために、本発明の画像符号化装置は、画像を画素ブロック単位で符号化処理する画像符号化装置において、画像を入力する入力手段と、前記入力手段により入力される画像の大きさを判定する画像サイズ判定手段と、前記画像サイズ判定手段により判定された画像の大きさに応じて、画素ブロックのサイズを決定するブロックサイズ決定手段と、前記入力手段により入力された画像を前記ブロックサイズ決定手段により決定されたサイズの画素ブロックに分割するブロック構成手段と、前記ブロック構成手段により構成された画素ブロックを符号化処理するための、複数の画素ブロックサイズに対応する符号化手段とを備えたことを特徴とする。
【手続補正３】
【補正対象書類名】明細書
【補正対象項目名】００１３
【補正方法】変更
【補正の内容】
【００１３】
さらに、本発明の他の画像符号化装置は、画像を画素ブロック単位で符号化処理する画像符号化装置において、画像を入力する入力手段と、前記入力手段により入力された画像がＨＤ（Ｈｉｇｈ  Ｄｅｆｉｎｉｔｉｏｎ）画像であるかＳＤ（Ｓｔａｎｄａｒｄ  Ｄｅｆｉｎｉｔｉｏｎ）画像であるかを判定する画像サイズ判定手段と、前記画像サイズ判定手段により判定された結果がＨＤ画像のときは８×８画素のブロックサイズを、ＳＤ画像のときは４×４画素のブロックサイズをそれぞれ決定するブロックサイズ決定手段と、前記入力手段により入力された画像を前記ブロックサイズ決定手段により決定されたサイズの画素ブロックに分割するブロック構成手段と、前記ブロック構成手段によって画素ブロックに分割された画像を入力し、当該画像がＨＤ画像のときは８×８画素単位で直交変換を行い、ＳＤ画像のときは４×４画素単位で直交変換を行う直交変換手段と、前記直交変換手段により直交変換された画像を量子化及びエントロピー符号化する符号化手段とを備えたことを特徴とする。
【手続補正４】
【補正対象書類名】明細書
【補正対象項目名】００１４
【補正方法】変更
【補正の内容】
【００１４】
また、本発明の画像符号化方法は、画像を画素ブロック単位で符号化処理する画像符号化方法において、画像を入力する入力ステップと、前記入力ステップで入力される画像の大きさを判定する画像サイズ判定ステップと、前記画像サイズ判定ステップで判定された画像の大きさに応じて、画素ブロックのサイズを決定するブロックサイズ決定ステップと、前記入力ステップで入力された画像を前記ブロックサイズ決定ステップで決定されたサイズの画素ブロックに分割するブロック分割ステップと、前記ブロック分割ステップで分割された画素ブロックを、当該画素ブロックのサイズごとに符号化処理する符号化ステップとを有することを特徴とする。
【手続補正５】
【補正対象書類名】明細書
【補正対象項目名】００１５
【補正方法】変更
【補正の内容】
【００１５】
さらに、本発明の他の画像符号化方法は、画像を画素ブロック単位で符号化処理する画像符号化方法において、画像を入力する入力ステップと、前記入力ステップで入力された画像がＨＤ（Ｈｉｇｈ  Ｄｅｆｉｎｉｔｉｏｎ）画像であるかＳＤ（Ｓｔａｎｄａｒｄ  Ｄｅｆｉｎｉｔｉｏｎ）画像であるかを判定する画像サイズ判定ステップと、前記画像サイズ判定ステップで判定された結果がＨＤ画像のときは８×８画素のブロックサイズを、ＳＤ画像のときは４×４画素のブロックサイズをそれぞれ決定するブロックサイズ決定ステップと、前記入力ステップで入力された画像を前記ブロックサイズ決定ステップで決定されたサイズの画素ブロックに分割するブロック分割ステップと、前記ブロック構成ステップで画素ブロックに分割された画像を入力し、当該画像がＨＤ画像のときは８×８画素単位で直交変換を行い、ＳＤ画像のときは４×４画素単位で直交変換を行う直交変換ステップと、前記直交変換ステップで直交変換された画像を量子化及びエントロピー符号化する符号化ステップとを有することを特徴とする。